(57)【要約】  この発明は、製造中の不良品発生率がより低いパッケージの製造装置および方法を提供する。この発明における方法は、良好な寸法精度でもパッケージを製造する。この発明の装置は、画像または図を表面および裏面上に部分的に、側面および底部ガセット表面上に続けて印刷することができるよう、印刷をパッケージ表面上に完全に位置させ、位置合わせする底部および側面ガセットのウエブ位置決めとともに、側面ガセット管を供給し、底部ガセットを供給する改良された方法で、３側面ガセットパッケージを製造するために提供される。
2010533082.tif 000002
【特許請求の範囲】
【請求項１】
パッケージを製造するための装置であって、前記パッケージの各々は、表面と、裏面と、第１の側面ガセットと、第２の側面ガセットと、底部ガセットと、頂部とを含み、前記装置は、
フィルム／積層品ロールを巻出し部（３）に装填するためのリール装填機（２）と、
装填された前記フィルム／積層品を上側および下側ウエブに分けるための第１の切断手段（４）と、
側面ガセットのための管を形成するための第１のユニット（８）とを備え、別個のフィルム／積層品管は、その開いた端部を前記下側ウエブに向かって折畳まれ、前記管の前記端部を折目付けするための一式のローラ間でプレスされており、さらに
前記側面ガセット管を引張り、前記下側ウエブ上に供給するための精密引張り手段と、
前記側面ガセット管を前記下側ウエブと封止するための第１の封止ユニット（９）と、
前記側面ガセット管を前記上側ウエブと封止するための第２の封止ユニット（１０）と、
前記底部ガセットを形成し、付加するための第２のユニット（１４）とを備え、別個のフィルム／積層品ウエブは、前記上側ウエブ、前記下側ウエブ、および前記側面ガセット管が一緒のままであるよう、側方から供給されており、さらに
前記底部ガセットを前記上側ウエブ、前記下側ウエブ、および前記側面ガセット管の一方の端部と封止するための第３の封止ユニット（１７）と、
前記パッケージの前記頂部に頂部閉じ手段を取付けるための第３のユニット（１９）と、
機械の種類に応じて１つ以上のパッケージを帯状切断し、形成するための第４のユニット（３０）とを備える、装置。
【請求項２】
前記装置は、前記底部ガセットを水平に平らにする底部ガセット折畳みユニット（１５）をさらに備える、請求項１に記載のパッケージを製造するための装置。
【請求項３】
前記装置は、交差封止ユニット（２２）と交差冷却ユニット（２３）とをさらに備える、請求項１に記載のパッケージを製造するための装置。
【請求項４】
前記装置は、前記底部ガセットの周囲にある余分な封止された領域をトリミングするためのトリミングユニット（２５）をさらに備える、請求項１に記載のパッケージを製造するための装置。
【請求項５】
前記装置は、前記パッケージの底部を丸角打抜きするための打抜きユニット（２７）をさらに備える、請求項１に記載のパッケージを製造するための装置。
【請求項６】
前記装置は、前記フィルム／積層品を二等分に分離して２つのパッケージを形成するために切れ目を入れるための切れ目入れユニット（２８）をさらに備える、請求項１に記載のパッケージを製造するための装置。
【請求項７】
前記第４のユニット（３０）は、帯状切断し、前記機械の種類に応じて１つ以上のパウチを製造するための２つの特別な種類のフライ刃動作の組合せを含む、請求項１に記載のパッケージを製造するための装置。
【請求項８】
前記頂部閉じ手段は、摺動子ファスナーまたは押さえ式ファスナーまたはファスナー組品をロックする押さえである、請求項１に記載のパッケージ。
【請求項９】
パッケージの製造方法であって、前記パッケージの各々は、表面と、裏面と、第１の側
面ガセットと、第２の側面ガセットと、底部ガセットと、頂部とを含み、前記方法は、
リール装填機（２）によってフィルム／積層品ロールを主巻出し部（３）に装填するステップと、
装填された前記フィルム／積層品を第１の切断手段（４）によって上側および下側ウエブに分けるステップと、
第１のユニット（８）によって側面ガセット管を形成するステップとを備え、別個のフィルム／積層品管は、開いた端部を前記下側ウエブに向かって折畳まれ、前記管の前記端部に折目を付けるために一式のローラ間でプレスされ、前記管は、精密引張り手段によって引張られ、前記下側ウエブ上に供給され、前記側面ガセット管は、前記ウエブ上で切断され、さらに
前記側面ガセット管を第１の封止ユニット（９）によって前記下側ウエブと封止するステップと、
前記側面ガセット管を第２の封止ユニット（１０）によって前記上側ウエブと封止するステップと、
前記底部ガセットを第２のユニット（１４）によって形成するステップとを備え、別個のフィルム／積層品ウエブは、前記上側ウエブ、前記下側ウエブ、および前記側面ガセット管が一緒のままであるよう、側方から通過し、さらに
前記底部ガセットを前記上側ウエブ、前記下側ウエブ、および前記側面ガセット管と封止するための第３の封止ユニット（１７）と、
前記パッケージの前記頂部に第３のユニット（１９）によって頂部閉じ手段を取付けるステップと、
第４のユニット（３０）によって機械の種類に応じて帯状切断することによって１つ以上のパッケージを形成するステップとを備える、方法。
【請求項１０】
前記側面ガセットを形成するステップは、
予め定められた形状に変わるように前記側面ガセット管端部を一式のローラ（Ｅ２、Ｅ３）によって折畳むステップと、
成形された前記側面ガセット管端部を折目付け板（Ｅ５）によって平らにするステップと、
前記底部ガセットウエブを平らにされた前記側面ガセット上に挿入するステップとを含む、請求項９に記載のパッケージの製造方法。
【請求項１１】
前記底部ガセットは、底部ガセット折畳みユニット（１５）によって水平に平らにされる、請求項９に記載のパッケージの製造方法。
【請求項１２】
前記底部ガセットの周囲にある余分な封止された領域は、トリミングユニット（２５）によってトリミングされる、請求項９に記載のパッケージ製造方法。
【請求項１３】
底部は、打抜きユニット（２７）によって丸角打抜きされる、請求項９に記載のパッケージの製造方法。
【請求項１４】
ツーアップ機械の場合、切れ目入れユニット（３０）によって２列のパッケージが形成される、請求項９に記載のパッケージの形成方法。
【請求項１５】
請求項１から１４のいずれかに記載の方法および装置を用いて製造された、表面（Ｋ５）と、下側シートと、裏面（Ｋ６）と、第１の側面ガセット（Ｋ２）と、第２の側面ガセット（Ｋ４）と、底部ガセット（Ｋ３）と、頂部閉じ手段（Ｋ１）を有する頂部とを備えたパッケージ。
【請求項１６】
実質的に添付の図面を参照してここに説明されたとおりであるパッケージを製造するた
めの装置。
【請求項１７】
実質的に添付の図面を参照してここに説明されたとおりであるパッケージの製造方法。
【発明の詳細な説明】
【技術分野】
【０００１】
発明の分野
この発明は、パッケージを製造するための装置、パッケージの製造方法、およびこの装置および方法によって製造されたパッケージに関する。
【背景技術】
【０００２】
発明の背景
３側面ガセットを備えたパッケージは、液体および固体を包装するために今日市販されており、さまざまなその製造方法が用いられている。３側面ガセットを備えたこういった種類のバッグは、その供される用途に応じた数多くの実施例において知られている。プラスチックバッグ形成機械および操作方法の１つの種類は、ハンソン（Hanson）他への米国特許第４，９２９，２２４号に開示されており、この特許は、側面が内方へガセットが付けられている閉じたスリーブプラスチック材料を出発原材料として用いる。平底プラスチックバッグの別の製造方法は、米国特許第５，１０２，３８４号に開示されている。
【０００３】
ＵＳ６０５６６８１は、予めガセットが付けられた管状材料を用いて得ることができる結果よりも一層一貫かつ精密な結果が出る平底プラスチックバッグの形成方法および装置を提供する。
【０００４】
プラスチックバッグは、第１および第２の側面ガセット部分をそれぞれ第１および第２の側端縁間で広げて、大きな容量を得ることができるという点で有利である。底部ガセット部分および第１および第２の補助ガセット部分も底端縁間で広げて、矩形の底部を構成することができる。したがって、プラスチックバッグは、台の上に安定して立てることができる。しかしながら、これまでは、プラスチックバッグを連続的に製造することは困難であった。さらに、３側面ガセットを備えたパッケージの製造方法は、いくつかあることもさまざまな特許出願および特許に開示されている。
【０００５】
ＵＳ６５６１９６３およびＥＰ１１０６３３９には、プラスチックバッグを連続的に製造するための新しいかつ改良された装置が開示されており、各バッグは、第１および第２の側面ガセット部分と、さらに底部ガセット部分とを備えて完成される。上記ＵＳ６５６１９６３に関する継続出願であり、米国特許第６６９２１４８号となった米国特許出願第０９／７６２，３８７号は、プラスチックバッグ製造装置を提供する。
【０００６】
ＵＳ６４２５８４７は、プラスチックフィルムまたは同様の溶接可能な材料から、バッグ（bag）またはサック（sack）の形態で、側面折畳部を備えた、最初に挙げた種類の包装材料の製造方法を提供する。
【０００７】
我々の同時係属出願第５８２／ＭＵＭ／２００４号において、我々は、摺動子ファスナー組品と３側面ガセットとを備え、持ち手を有し、再び閉じることができるフレキシブルパッケージおよびその製造方法を説明した。
【発明の概要】
【発明が解決しようとする課題】
【０００８】
しかしながら、上述の文献において用いられた方法は、非常に複雑である。さらに、上述の特許出願／特許において用いられた方法は、パッケージを製造する際の不良品発生率を上昇させる。加えて、こういった文献中で開示された方法および装置によって製造されたパッケージは、寸法精度がよくないことがある。
【課題を解決するための手段】
【０００９】
発明の目的および概要
前述の欠点を克服するために、この発明は、パッケージを製造するための装置、パッケージの製造方法、およびそのパッケージを規定する。
【００１０】
この発明の目的は、単純な、パッケージを製造するための装置および方法を提供することである。
【００１１】
この発明の別の目的は、不良品発生率がより低い、パッケージを製造するための装置および方法を提供することである。
【００１２】
この発明のさらに別の目的は、寸法精度が良好な、パッケージを製造するための装置および方法を提供することである。
【００１３】
添付の図面の簡単な説明
添付の図面は、この発明の好ましい実施例を示し、以下の詳細な説明とともに、この発明の原理を説明する役目をする。
【図面の簡単な説明】
【００１４】
【図１】この発明に従ったパッケージを製造するための装置を示す図である。
【図２】材料の流れと側面ガセットを形成するステップとを描く図である。
【図３】下側シート上で側面ガセットを切断するステップを示す図である。
【図４】側面ガセットを封止するステップを示す図である。
【図５】上側および下側シートを側面ガセットと封止するステップを示す図である。
【図６】底部ガセットを側面ガセットと封止するステップを表わす図である。
【図７】位置決めされた底部ガセットを上側および下側シートとともに封止するステップを表わす図である。
【図８】底部ガセットの折畳みを示す図である。
【図９】パッケージのフロー表示とパッケージを切断するステップとを表わす図である。
【図１０】最終パッケージを切断するステップを示す図である。
【図１１】上述の装置および方法によって製造された３側面ガセットパッケージを描く図である。
【００１５】
印刷をパッケージ上に完璧に位置させ、位置合わせする底部および側面ガセットのウエブ位置決めとともに側面ガセット管を供給し、底部ガセットを供給する改良された方法で、３側面ガセットパッケージを製造するための装置。この方法を利用して、我々は、画像または図を側面および底部ガセットとともに表および裏の部分に部分的に印刷することができる。
【発明を実施するための形態】
【００１６】
添付の図面の詳細な説明
前述の概略説明および以下の詳細な説明は、この発明について例示的かつ説明的なものであり、この発明について限定的であるように意図されていないことは、当業者によって理解されるであろう。
【００１７】
図１には、この発明に従ったパッケージを製造するための装置が示されている。
側面および底部ガセットの改良された挿入方法による水平パッケージ製造機械では、フィルム／積層品のロールは、リール装填機（２）で機械の主巻出し部（３）に垂直に装填
される。上記のフィルム／積層品は、巻出し引張り部（４）を通過し、ＡＣ可変駆動を備えた水平ダンサ（５）を利用して前へ引張られる。フィルム／積層品は、２つの等しい部分に切断される。１つの層は上側に、１つは下側に移動する。機械マークの適切な位置決めのために、下側フィルムを完璧な位置決めで引張るサーボモータが（６）に設けられている。
【００１８】
フィルム／積層品の管は、側面ガセット形成ユニット（８）で形成される。上記管は、管継ぎ目が下側ウエブに残るよう、下側シート上に供給される。次に管は、側面ガセット付加付属装置（９）を利用して下側ウエブと封止される。上記管は、封止機（１０）を利用して上側ウエブと封止される。上側ウエブは、ステーション（１０）での封止後、下側ウエブと接合する。上側および下側ウエブは、ステーション１４で菱形形状を形成するローラを用いて引離される。フィルム／積層品は、底部ガセットを作るための底部折畳み、折目付け、および付加ユニット（１４）を利用して上部および底部ガセットの側面にわたって平坦に折畳まれる。
【００１９】
底部ガセットの供給は、（１３）にある巻出しステーションから開始する。フィルム／積層品は、側方から連続的に移動し、上側および下側ウエブならびに側面ガセットと接合する。
【００２０】
上記上側および下側ウエブは、側面および底部ガセットとともに、底部ガセットを水平に平らにする底部中心折畳み部形成機（１５）を通過する。上側ウエブは、延伸ローラ（１６）を利用して封止および冷却ステーションまで引張られる。次に上記上側および下側ウエブならびに底部ガセットは、底部を封止するためのステーション（１７）および後続の冷却ユニット（１８）まで移動する。次に上記３側面ガセットフィルム／積層品は、隔膜を備えるかまたは備えない摺動子およびファスナー装着ステーション（１９）に向かって移動する（ワンアップパッケージ（one up package）の場合）。フィルム／積層品は、延伸ローラ（２０）を通って底部封止／溶融および冷却ステーション（２１）に向かって前へ移動する。次に上記３側面ガセットフィルム／積層品は、交差封止のためのステーション（２２）および交差冷却部（２３）まで移動する。次に上記３側面ガセットフィルム／積層品は、上側および下側ウエブ上にある余分な封止された領域のトリミングのための側面トリミングユニット（２５）まで移動する。上記３側面ガセットフィルム／積層品は、所望される場合、底部丸角打抜きのためのステーション（２７）に向かって進む。中心切れ目入れ部（２８）は、ツーアップパッケージ（2-up package）ラインが、形成かつ封止されたウエブに二等分に切れ目を入れ、分離して、２つのパッケージを形成するために必要とされる。サーボ引張り機が、フィルム／積層品を引張るためのステーション（２９）に、取付けられている。最後に、２つの特別な種類のフライ刃動作の組合せが、ステーション（３０）に取付けられており、このステーションは、封止された領域における帯状切断のために前後に移動し、最終的に、ワンアップ機械の場合は１つの３側面ガセット付きパッケージを、ツーアップ機械の場合は２つの３側面ガセット付きパッケージを製造する。
【００２１】
図中に示されるように、フィルム／積層品の巻出しは、ステーション（３）、（７）、および（１３）から開始する。完成されたパッケージを受取る最終段階は、機械の最端部、作業台（３１）上である。
【００２２】
図２には、材料の流れと、側面ガセットのためのフィルム／積層品管を形成するステップとが描かれている。図２には、巻出し後の、側面ガセットのための管の形成（Ａ４）のためのフィルム／積層品（Ａ６）の流れが説明されている。示されるように、下側フィルム／積層品ウエブ（Ｄ２）は、機械と水平に流れ、側面ガセットのためのフィルム／積層品の管は、下側ウエブと直角をなす方向に流れる。側面ガセットを準備するために、まず
フィルム／積層品は、図中に点線で示されるように、開いた端部を下側に向かって折畳まれている管形状に形成され、管の端部を折目付けするための一式のローラ（Ａ５）まで通過する。サーボ引張り機（Ａ３）は、管を引張り、管を下側フィルム／積層品ウエブ（Ｄ２）の上に供給するために取付けられている。側面ガセットのための管は、（Ａ２）に示されるように、この管が下側ウエブ（Ｄ２）上に付加／封止されると、切断される。
【００２３】
図３には、側面ガセットのための管を下側ウエブ上で切断するステップが示されている。図３には、側面ガセットのための管（Ｂ２）が下側フィルム／積層品ウエブ（Ｄ２）上に来たときのこの管上の切断位置（Ｂ１）が説明されている。
【００２４】
図４には、側面ガセットのための管を封止するステップが示されている。図４には、側面ガセットのための管を下側フィルム／積層品ウエブ（Ｄ２）上の（Ｃ３）で付加／封止するステップが示されている。このプロセスは、図１中に（９）に示されるように、下側フィルム／積層品ウエブ上の側面ガセットのための管（Ａ４）の位置を固定する。
【００２５】
図５には、上側および下側フィルム／積層品ウエブを側面ガセットのための管（Ａ４）と封止するステップが示されている。図５には、上側フィルム／積層品ウエブ（Ｄ１）および下側フィルム／積層品ウエブ（Ｄ２）の流れおよび側面ガセット（Ａ４）のための管と封止するステップが示されている。この段階は、図１中にステーション（１０）に示されるとおりである。
【００２６】
図６は、底部ガセットを側面ガセットのための管とともに封止するステップを表わす。図６には、側面ガセットのための管と封止された上側および下側フィルム／積層品ウエブの流れ（Ｅ１）と、一式のローラ（Ｅ２）および（Ｅ３）を通じた側面ガセットのための管の菱形形状への形成とが示されている。次に、上記フィルム／積層品は、側壁ガセットのための管に作られた菱形の表面を平らにするための折目付け板（Ｅ５）を通って移動する。側面ガセットのための管を折目付けするステップの後、底部ガセットフィルム／積層品（Ｅ７）は、側面ガセットのための管にある平らにされた菱形の上に挿入される。これで、底部ガセットと側面ガセットのための管とは、封止するための段階（Ｅ６）を通過する。
【００２７】
図７は、位置決めされた底部ガセットを上側および下側ウエブとともに封止するステップを表わす。図７には、底部ガセットのためのフィルム／積層品巻出しレイアウト（Ｆ１）が説明されている。フィルム／積層品は、精密引張り手段（Ｆ２）によって引張られる。上記精密引張り手段は、サーボ引張り機であり得る。底部ガセットサーボ引張り機（Ｆ２）は引張るために用いられる。底部ガセットのためのフィルム／積層品（Ｆ８）は、底部ガセット中心折畳み機（Ｆ３）に入る前に、（Ｆ５）での底部ガセットを付加するステップに向かって前へ移動する。形成ローラ（Ｆ６）は、このフィルム／積層品（Ｆ９）をプレスするものである。折畳みは、折目付け板（Ｆ７）を通じてなされる。底部ガセットフォトセル（Ｆ４）は、底部ガセットの適切な位置合わせのために用いられる。
【００２８】
図８は、底部ガセットの折畳みを表わす。この図は、底部ガセットが側面ガセットのための管と封止された上側および下側ウエブ（Ｅ１）とともに底部ガセット中心折畳み機（Ｇ２）を通って移動するときに形成される底部ガセットにある底部折畳み部（Ｇ３）を説明する。
【００２９】
図９は、パッケージの流れ表示と、パッケージを切断するステップとを表わす。図９には、打抜き装置を通じて形成された底部丸角（Ｈ２）の位置と、ツーアップパッケージのための中心切れ目入れ位置（Ｈ１）と、最終的に帯状（Ｈ３）切断してパッケージを連続ラインから分離するための一式の２枚の刃によってパッケージを切断するステップとが説
明されている。
【００３０】
図１０には、最終パッケージを切断するステップが示されている。図１０には、空気圧式または液圧式または機械式または任意の他の適切な手段（Ｊ２）を通じて駆動される２枚刃切断付属装置（Ｊ１）を通じた最終パッケージ（Ｊ３）の分離のための切断付属装置が説明されている。特別な種類のフライナイフ（刃）機構が用いられて、パッケージを切断する。
【００３１】
図１１には、上述の装置および方法によって製造された３側面ガセットパッケージが描かれている。図１１には、３つのガセット（Ｋ２）、（Ｋ３）、（Ｋ４）と、表面（Ｋ５）と、裏面（Ｋ６）とを備えた完成された最終パッケージが示されている。パッケージの他の側面は、製品を充填するまたは取出すための開口部を再び閉じるかまたは開くための、隔膜を備えるかまたは備えないファスナーをロックするファスナー摺動子／押さえ（Ｋ１）が取付けられている。
【００３２】
この特許明細書を通じて、添付の図面中、同様の番号は、同様の構成要素を示すという慣行を用いた。
【００３３】
この発明はこの明細書中に示された特定的な実施例に限定されないことは、当業者によって容易に理解されるであろう。よって、この発明の主要な利点を犠牲にせずに、範囲内で変形がなされてもよい。たとえば、ワンアップパッケージの場合、上記３側面ガセットフィルム／積層品は、次に、隔膜を備えるかまたは備えないファスナーをロックして、パッケージを再び閉じることができるようにするファスナー摺動子／押さえを備えたパッケージを製造するためのステーション（１９）に向かって移動する。
【００３４】
この発明の別の局面において、フィルムまたは積層品からなり金属化フィルムを備えるかまたは備えない隔膜がファスナー組品の下方に置かれて、パッケージの開口部を閉じ、障壁として働いて、パッケージを不正開封防止装置付きにする。使用者が破って開け、パッケージの内容物を利用することをより簡単でより便利にするために、上記隔膜に穿孔またはレーザ刻み線を設けることができる。
【００３５】
この発明の別の実施例において、充填されたパッケージをより簡単に運び、取扱うために、持ち手が設けられる。予め切断された持ち手は、上側および下側ウエブに底部ガセットと対向して挿入される。
【００３６】
この発明のさらに別の実施例において、ファスナーをロックする摺動子ファスナー組品／押さえ、隔膜、この隔膜上の刻み、および持ち手は、パッケージに取付けられる。
【図１】
2010533082.tif 000003
【図２】
2010533082.tif 000004
【図３】
2010533082.tif 000005
【図４】
2010533082.tif 000006
【図５】
2010533082.tif 000007
【図６】
2010533082.tif 000008
【図７】
2010533082.tif 000009
【図８】
2010533082.tif 000010
【図９】
2010533082.tif 000011
【図１０】
2010533082.tif 000012
【図１１】
2010533082.tif 000013
【手続補正書】
【提出日】平成21年2月21日(2009.2.21)
【手続補正１】
【補正対象書類名】特許請求の範囲
【補正対象項目名】全文
【補正方法】変更
【補正の内容】
【特許請求の範囲】
【請求項１】
パッケージを製造するための装置であって、前記パッケージの各々は、表面と、裏面と、第１の側面ガセットと、第２の側面ガセットと、底部ガセットと、頂部とを含み、前記装置は、
フィルム／積層品ロールを巻出し部（３）に装填するためのリール装填機（２）と、
装填された前記フィルム／積層品を上側および下側ウエブに分けるための第１の切断手段（４）と、
側面ガセットのための管を形成するための第１のユニット（８）とを備え、別個のフィルム／積層品管は、その開いた端部を前記下側ウエブに向かって折畳まれ、前記管の前記端部を折目付けするための一式のローラ間でプレスされており、さらに
前記側面ガセット管を引張り、前記下側ウエブ上に供給するための精密引張り手段と、
前記側面ガセット管を前記下側ウエブと封止するための第１の封止ユニット（９）と、
前記側面ガセット管を前記上側ウエブと封止するための第２の封止ユニット（１０）と、
前記底部ガセットを形成し、付加するための第２のユニット（１４）とを備え、別個のフィルム／積層品ウエブは、前記上側ウエブ、前記下側ウエブ、および前記側面ガセット管が一緒のままであるよう、側方から供給されており、さらに
前記底部ガセットを前記上側ウエブ、前記下側ウエブ、および前記側面ガセット管の一方の端部と封止するための第３の封止ユニット（１７）と、
前記パッケージの前記頂部に頂部閉じ手段を取付けるための第３のユニット（１９）と、
機械の種類に応じて１つ以上のパッケージを帯状切断し、形成するための第４のユニット（３０）とを備える、装置。
【請求項２】
前記装置は、前記底部ガセットを水平に平らにする底部ガセット折畳みユニット（１５）をさらに備える、請求項１に記載のパッケージを製造するための装置。
【請求項３】
前記装置は、交差封止ユニット（２２）と交差冷却ユニット（２３）とをさらに備える、請求項１に記載のパッケージを製造するための装置。
【請求項４】
前記装置は、前記底部ガセットの周囲にある余分な封止された領域をトリミングするためのトリミングユニット（２５）をさらに備える、請求項１に記載のパッケージを製造するための装置。
【請求項５】
前記装置は、前記パッケージの底部を丸角打抜きするための打抜きユニット（２７）をさらに備える、請求項１に記載のパッケージを製造するための装置。
【請求項６】
前記装置は、前記フィルム／積層品を二等分に分離して２つのパッケージを形成するために切れ目を入れるための切れ目入れユニット（２８）をさらに備える、請求項１に記載のパッケージを製造するための装置。
【請求項７】
前記第４のユニット（３０）は、帯状切断し、前記機械の種類に応じて１つ以上のパウチを製造するための２つの特別な種類のフライ刃動作の組合せを含む、請求項１に記載のパッケージを製造するための装置。
【請求項８】
前記頂部閉じ手段は、摺動子ファスナーまたは押さえ式ファスナーまたはファスナー組品をロックする押さえである、請求項１に記載の装置。
【請求項９】
パッケージの製造方法であって、前記パッケージの各々は、表面と、裏面と、第１の側面ガセットと、第２の側面ガセットと、底部ガセットと、頂部とを含み、前記方法は、
リール装填機（２）によってフィルム／積層品ロールを主巻出し部（３）に装填するステップと、
装填された前記フィルム／積層品を第１の切断手段（４）によって上側および下側ウエブに分けるステップと、
第１のユニット（８）によって側面ガセット管を形成するステップとを備え、別個のフィルム／積層品管は、開いた端部を前記下側ウエブに向かって折畳まれ、前記管の前記端部に折目を付けるために一式のローラ間でプレスされ、前記管は、精密引張り手段によって引張られ、前記下側ウエブ上に供給され、前記側面ガセット管は、前記ウエブ上で切断され、さらに
前記側面ガセット管を第１の封止ユニット（９）によって前記下側ウエブと封止するステップと、
前記側面ガセット管を第２の封止ユニット（１０）によって前記上側ウエブと封止するステップと、
前記底部ガセットを第２のユニット（１４）によって形成するステップとを備え、別個のフィルム／積層品ウエブは、前記上側ウエブ、前記下側ウエブ、および前記側面ガセット管が一緒のままであるよう、側方から通過し、さらに
前記底部ガセットを前記上側ウエブ、前記下側ウエブ、および前記側面ガセット管と封止するための第３の封止ユニット（１７）と、
前記パッケージの前記頂部に第３のユニット（１９）によって頂部閉じ手段を取付けるステップと、
第４のユニット（３０）によって機械の種類に応じて帯状切断することによって１つ以上のパッケージを形成するステップとを備える、方法。
【請求項１０】
前記側面ガセットを形成するステップは、
予め定められた形状に変わるように前記側面ガセット管端部を一式のローラ（Ｅ２、Ｅ３）によって折畳むステップと、
成形された前記側面ガセット管端部を折目付け板（Ｅ５）によって平らにするステップ
と、
前記底部ガセットウエブを平らにされた前記側面ガセット上に挿入するステップとを含む、請求項９に記載のパッケージの製造方法。
【請求項１１】
前記底部ガセットは、底部ガセット折畳みユニット（１５）によって水平に平らにされる、請求項９に記載のパッケージの製造方法。
【請求項１２】
前記底部ガセットの周囲にある余分な封止された領域は、トリミングユニット（２５）によってトリミングされる、請求項９に記載のパッケージ製造方法。
【請求項１３】
底部は、打抜きユニット（２７）によって丸角打抜きされる、請求項９に記載のパッケージの製造方法。
【請求項１４】
ツーアップ機械の場合、切れ目入れユニット（３０）によって２列のパッケージが形成される、請求項９に記載のパッケージの形成方法。
【国際調査報告】
2010533082.tif 000014
2010533082.tif 000015
2010533082.tif 000016
2010533082.tif 000017